(57)【要約】【課題】  養殖池の中心のデッドスペースを利用して水の汚れを処理する。【解決手段】  水掻羽根２０を設けた回転アーム１６を水面に浮かべた耕水機１５と、前記壁面部５の内側に設けた炭素繊維濾過材６と、底部５に設けたヘドロ収集用のストレーナ９と、エアーにより流動して表面に多数の突起を有したバイオフィルタ１２を内部に収容したタワー槽１０と、タワー槽１０の内外に配してエアー源からのエアーを噴出するエアー噴出器２３，３２を池の中心に設置し、表面に多数の小孔を有したガラス発泡濾過材を積層してなる生物濾過材３７を収容した補助濾過槽３５の下方に、連結管３９を介して前記ストレーナに連結した分離室４０を設け、該生物濾過材の上部に処理水を前記養殖池に送るエアリフト４８を設けてある。【選択図】図１
2012239414.tif 000002
【特許請求の範囲】
【請求項１】
複数のアームの先端下部に水掻羽根（２０）を設けて放射方向に配した回転アーム（１６）を水面に浮かべて底部に樹立した支柱（１３）に取付けてなる耕水機（１８）と、壁面部（３）の内側に間隙部（４）を存して設けた炭素繊維濾過材（６）と、底部（５）に設けたヘドロ収集用のストレーナ（９）と、壁面部（３）を具えて中心方向に下り勾配の底部（５）を有した養殖池の中心に設置してエアーにより流動するバイオフィルタ（１１）を内部に収容したタワー槽（１０）と、ガラス発泡濾過材を積層してなる生物濾過材（３７）を内部に収容した補助濾過槽（３５）の下方に前記ストレーナと連通する分離室（４０）を設け、生物濾過材（３７）で処理した処理水を養殖池に戻すエアリフト（４８）を補助濾過槽（３５）の上部に設け、タワー槽（１０）の内外に設置した第１，２エアー噴出器（２３，３２）とエアー源（２６）とを接続し、連結管（３９）を介して前記ストレーナ（９）に連結した分離室（４０）において比重差を利用して水から分離したヘドロを、排水管（４１）を介して汚泥処理装置（４２）に移送することを特徴とする養殖池の水処理装置。
【請求項２】
前記バイオフィルタ（１１）は、微生物が付着しやすいように表面に多数の突起を有して、小型でプラスチックなどの軽量素材で任意形状に形成した多数の流動担体濾材（１１ａ）を、タワー槽（１０）内に流動可能に収容してなることを特徴とする請求項1記載の養殖池の水処理装置。
【請求項３】
前記補助濾過槽（３５）内に収容する生物濾過材（３７）は、水中の微生物が付着できるように夫々表面に多数の小孔を設けたガラス発泡濾過材を積層してなることを特徴とする請求項1記載の養殖池の水処理装置。
【請求項４】
前記壁面部（３）の外周面に、ナノカーボンヒータ（５０）を装着してなることを特徴とする請求項１記載の養殖池の水処理装置。
【発明の詳細な説明】
【技術分野】
【０００１】
本発明は、魚や鰻などを養殖する養殖場の汚れた飼育水を閉鎖循環式に処理する水処理装置に関する。
【背景技術】
【０００２】
従来の養殖池は、養殖する魚、海老、鰻などに与えた餌の残餌や魚等の糞が水中の微生物によって処理されずに残って嫌気的環境の原因物質となるヘドロとなって、養殖池の底部に堆積する。そのため、空気中の酸素を水中に取り込み、水面に設置した水車を高速で回転させることにより、水面の水を大気中に放散させて大気中の酸素を取り込み、水中の溶存酸素（ＤＯ）値を一定値以上に維持する方法が一般的に行われている。
【０００３】
図５に示したように、従来の養殖池５０の水面に設置した水車５１は、モータ５２を回転することにより羽根車５３，５３を高速で回転して、該養殖池の水面を掻き回して波立たせ、水面に円周方向に連続して波立部５４，５４を形成しながら、大気中の酸素を水中に取り込ませている。さらにまた、汚れた水を奇麗にするためには、養殖池５０とは別に汚水を処理する処理槽５５を必要とするため、設備投資費用が高くなるという欠点を有していた。
【０００４】
水面攪拌用の水車５３は、水面に対して垂直方向に高速回転しながら、水面部分の水を上方に掻き上げて空中に放散するため、モータは大きな力が要求され、その結果、モータ音や水を攪拌することによる大きな騒音を発生させると共に、消費電力量が多くなって極めて不経済であるという問題点を有していた。
【０００５】
養殖池の水中溶存酸素値を高めるための装置には、水面に設置した羽根車を回転して水を空中に拡散し、大気中の空気を水中に混入するものがある(特許文献１、参照)。さらに、羽根車を池の水面に沿って水平方向に回転させることにより、水面部分の酸素が多く含まれた水を池の中心から遠心方向に押し出し、この水が濾過材を通過する際に、水中に含まれる酸素を濾過材に付着している微生物に供給し、該微生物を活性化して水の汚れを分解するものがある(特許文献２、参照)。しかし、従来の水車は、池の表面部分に対流を起こすことはできても、池の底部に漂う酸素が不足した水を水面に上昇させることは困難であった。
【０００６】
さらに、養殖池の水面に設置した羽根車を水面に沿って回転させることにより、池の水面に水流を発生させ、他方、該羽根車が位置した下方の水底部にエアー噴出器を設置し、エアー源からのエアーを水中に噴出して水中に漂う好気性微生物に酸素供給して活性化すると共に、池中心の水底部に上向きの水流を発生させて水処理を行うものもある(特許文献３、参照)。しかし、微生物中の好気性微生物が、エアー噴出部の上方部分に常に集中しているとは限らず、また、エアーが届きにくいところに集まっていたりすると、前記微生物に酸素を供給することが困難であった。
【０００７】
飼育水の汚れは、太陽光を当てて光合成させたリ、紫外線によって微生物を殺菌したり、池内に設置した濾過材に付着させたりして、水中に浮遊する好気性微生物に酸素を含む新鮮な水を供給して好気性微生物を活性化することにより行っている。また、池の底部に堆積した有機物、一般にヘドロと呼ばれるものの分解には、バクテリア、原生動物など多くの微生物、即ち好気性微生物が関与することが必要である。そして、酸素が多く存在する環境下において活性化する好気性微生物は、酸素の少ない環境の下に多く存在する嫌気性微生物の１００倍以上の分解効率を有しているといわれている。そのため、酸素があれば1日で分解できるヘドロの量も、酸素が足りない場合にはその分解に１００日もかかるといわれている。
【先行技術文献】
【特許文献】
【０００８】
【特許文献１】特公昭５１−４６９８６号公報
【特許文献２】特許第３３６００７５号公報
【特許文献３】特開２０１０−８８３１５号公報
【発明の概要】
【発明が解決しようとする課題】
【０００９】
上記課題を解決するために、本発明は、池中心に設置したタワー槽の内外に第１，２エアー噴出器をそれぞれ設置し、タワー槽内およびタワー槽外周にそれぞれ設置したエアー噴出器からエアーバブルを噴出すると池の中心に上向きの対流が発生し、且つ、酸素を供給して水を活性化し、回転アームをゆっくり回転して水面を波立たせて大気中の空気を取り込んだ新鮮な水にし、池全体に水平方向および縦方向に大きな水の対流を発生させ、好気性菌を活性化して嫌気性菌の増殖を抑えるとともに太陽光により光合成を行い、また太陽からの紫外線により水中の悪玉菌（病原菌）を殺菌して分解を早めるものである。
【００１０】
従来のポンプは、養殖池の水の対流に強いところ（水面部分）と、弱いところ（水底部分）との間に差が生じるという欠点を有していた。しかるに本発明は、モータをゆっくり回転させるため、従来のポンプの約４０分の１程度のエネルギーにより、対流の弱い水底部分にエアー噴出器を設置し、強制的にエアーを噴出させて上昇流を発生させ、従来のポンプでは不可能であった水底水に対流を発生させることにより養殖池の水面と水底の水質（ＤＯ，ＰＨ，ＢＯＤ）に差を生じないようにして、池の水質を均一化することができた。
【００１１】
そのうえ、従来のこの種の装置では、水底に魚の糞や餌の残りが沈殿してヘドロとなって停留していたが、本装置は、養殖池の底部に設置したストレーナと、補助濾過槽とを連結する連結管の自然落差を利用して自動的に養殖池内のヘドロを補助濾過槽に設けた分離室に移動させることにより、養殖池内にヘドロが停留しないようにする。
【００１２】
さらに、養殖池の中心のデッドスペースを利用し、該スペースに設置したタワー槽内には、表面に多数の小孔を有した発泡プラスチックなどの小型の軽量素材の表面に多数の微生物が付着して形成した生活膜を有した多数の流動担体濾材を移動可能に収容してある。そして、タワー槽の内側底部に設けた第１エアー噴出器からエアーバブルを噴出させてエアレーションすることにより、タワー槽内を自由に流動する流動担体濾材の表面に付着した好気性微生物に酸素を供給して活性化した後、この処理水はタワー槽から外部に出て池の中心に流入する。
【００１３】
養殖池内の底部に設置したストレーナに集められたヘドロは、連結管の自然落差により自動的に補助濾過槽に移動し、この補助濾過槽に設けた分離室内において比重差により水から分離し、定期的に外部に送られ汚泥処理装置によりヘドロを回収して有効に利用する。さらに、補助濾過槽内の生物濾過材により高度生物処理された処理水はエアリフトにより養殖池に戻すものである。
【課題を解決するための手段】
【００１４】
上記課題を達成するために本発明は、放射方向に配した複数のアーム１７の先端下部に水掻羽根２０を設けた回転アーム１６を水面に浮かべて底部に樹立した支柱１３に取付けた耕水機１５と、壁面部３の内側に間隙部４を存して設けた炭素繊維濾過材６と、底部５に設けたヘドロ収集用のストレーナ９と、壁面部３を具えて中心方向に下り勾配の底部５を有した養殖池の中心に設置して、エアーバブルにより流動するバイオフィルタ１１を内部に収容したタワー槽１０と、ガラス発泡濾過材を積層してなる生物濾過材３７を内部に収容して補助濾過槽３５の下方に前記ストレーナと連通する分離室４０を設け、生物濾過材で処理した処理水を養殖池に戻すエアリフト４８を補助濾過槽の上部に設け、タワー槽１０の内外に設置した第１，２エアー噴出器２３，３２とエアー源２６を接続し、分離室４０で比重差を利用して水から分離したヘドロをバルブ操作で排水管４１を介して汚泥処理装置４２に移送してヘドロを除去する。また、前記バイオフィルタ１１は、微生物が付着しやすいように表面に多数の突起を有して、小型でプラスチックなどの軽量素材で任意形状に設けた多数の流動担体濾材１１ａをタワー槽１０内に流動可能に収容して形成してある。さらに、前記補助濾過槽３５内に収容する生物濾過材３７は、水中の微生物が付着できるように夫々表面に多数の小孔を設けて小さな空間を多数有したガラス発泡濾過材を積層してある。さらにまた、前記壁面部３の外周面のナノカーボンヒータ５０を装着してある。
【００１５】
養殖池の壁面部の内側に炭素繊維濾過材を装着し、水面に浮上させた耕水機の回転アームが回転して池表面の中心から遠心方向に水を押し出し、その分、池の底部から酸素不足の水を上昇させて、水面において大気中の酸素を取り込み、太陽からの紫外線によって汚染物質中の悪玉菌を滅菌する。また、タワー槽内の第１エアー噴出器から噴出するエアーによって流動担体濾材に微生物が付着したバイオフィルタを活性化する。
【００１６】
さらに、嫌気性ヘドロの原因となる魚の糞や残餌などが底部に堆積しないよう池の底部に設置したエアー噴出器から噴出するエアーバブルを上方に噴出して酸素不足の水に酸素を供給し、池の中心に上方向への対流を発生させる。また水面上の回転アームはゆっくり回転するため、従来の水車に比べて力の小さいモータを使用でき、そのため消費電力量を少なくし、大きな騒音を発生させることなく静かに運転ですることができる。
【００１７】
池の底部に設けたストレーナと、高度生物処理を行う生物濾過材を有した補助濾過槽の底部に設けた分離室とを連結管で連結し、該ストレーナに集まったヘドロは自然落差を利用して分離槽に移送し、比重差を利用して分離したヘドロは分離槽の底部に堆積し、一定量溜まるとバルブは開弁し、ヘドロを含む水を汚泥処理装置に移送し、ヘドロを圧縮、乾燥して植物の肥料などにする。へドロを除去した廃水は、例えば許可されている自治体にあっては、下水道に排水でする。また、許可されていない場合には、必要に応じて処理した後に排水することになる。さらに、」この補助濾過槽内で生物濾過材により高度生物処理された処理水は、エアリフトにより養殖池に戻される。
【発明の効果】
【００１８】
本発明は、池の底部中心に設置したタワー槽の内外に設置したエアー噴出口からエアーバブルを噴出して、池中心の上方に水流を発生して水面に放射方向への水流を発生させ、池全体に対流を発生させると共に、水底部に漂う酸素が不足した水に前記エアーバブルから酸素を供給する。さらに、タワー槽内に好気性微生物を表面に付着させた流動担体濾材からなるバイオフィルタを流動可能に収容してエアレーションを行って好気性微生物に酸素を供給し、また、水面に浮かべた回転アームをゆっくり回転させることにより水平方向に水流を発生させ、周縁部の壁面部の内側の取付けた炭素繊維濾過材、好気性菌に酸素を供給して活性化し、該養殖池内に残餌や糞を停留させないようにする。このバイオフィルタはタワー槽内を自由に流動し手いるので汚れることがないため、流動担体濾材を保守点検する必要がない。
【図面の簡単な説明】
【００１９】
【図１】養殖池に設置した水処理装置を縦断面にした模式図である。
【図２】池の底部に設けたストレーナ上に設置したタワー槽の内外に第１，２エアー噴出器を取付けた要部拡大断面図である。
【図３】図２のＡ−Ａ線拡大断面図である。
【図４】養殖池の水面に設置した耕水機の回転アームが施回して水面に生じる波立部の発生状態を示す平面図である。
【図５】従来の水車２基を養殖池内に設置して回転させている状態の平面図である。
【発明を実施するための形態】
【００２０】
本発明の実施形態を図面に基づいて説明すると、図１は養殖池に設置した水処理装置を縦断面にした模式図、図２は池の底部に設けたストレーナ上に設置したタワー槽の内外に第１，２エアー噴出器を取付けた要部拡大断面図、図３は図２のＡ−Ａ線方向の拡大断面図、図４は養殖池の水面に設置した耕水機の回転アームの施回により水面に生じた旋回流の状態を示す平面図である。1は内部に飼育用の水を収容する円形又は略方形など任意形状をした養殖池で、ポリプロピレンなどの安価な合成樹脂材で形成してある。該養殖池の壁面部３の内側に沿って炭素繊維濾過材６を設けてあり、また、池の中心に設置したタワー槽１０の内外に、第１，２エアー噴出器２３，３２を設置してある。
【００２１】
壁面部３に連続した底部５を備えた養殖池１は、該養殖池の中心に向かって下り勾配に形成し、水底近辺に漂う魚の残餌や糞などの浮遊物は、水の移動と共に徐々に傾斜下部に集まる。底部５の中心の深い部分には、浮遊物などの水底に堆積したヘドロを養殖池の外部に移送するための取出口８を設けてあり、池内の魚などが侵入しないよう網目壁９ａを具えたストレーナ９を前記取出ロ８に連通して設置してある。ストレーナ９は、養殖池の大きさ又は形状などによっては池の底部５に複数設けてもよい。
【００２２】
養殖池1の水面１ａに設置した回転アーム１６は、水面に浮かべるため浮力を有した３本のアームを放射状に等間隔に連結し、各先端下部に水掻羽根２０を取付け、該回転アームの中心部分にモータ１５を設置して耕水機１５を形成してある。このモータ１５に連結した回転アーム１６は、例えば１分間に３〜１０回、好ましくは５〜６回位のゆっくりした速さで回転するのでモータは小型にして、消費電力が少ないという特徴を有している。
【００２３】
回転アーム１６の回転により、養殖池の中心から周縁部に向かってゆっくり押し出され、水面に設けた波立部２１は、水面を旋回しながら放射方向に流動し、大気中の酸素を水中に取り込むと共に、太陽からの紫外線で悪玉菌を滅菌し、光合成により好気性微生物を増殖して活性化する。回転アーム１６を構成する各アーム１７の先端下部に、それぞれ水掻羽根２０，２０を垂設してあり、効率よく水を放射状に押し出して水面に波立部２１を効果的に形成することができる。ここで、酸素が多く存在する環境下で活性化する好気性菌（バクテリア）は、酸素の少ない環境下で活性化する嫌気性菌の１００倍以上の分解効率を有している。
【００２４】
壁面部３の内側に間隙部４を設け、全周あるいは一定又は任意間隔毎に固定式の濾過材６を設置し、間隙部を通って濾過材６の裏面側への水の流れは良好となり、水中に漂う好気性微生物を増殖して活性化する。この炭素繊維濾過材６は、大きな表面積と生物膜を設けており、具有するその高い弾力性は長期間にわたって繊維と繊維との間に空間を保持するため、安定して微生物の付着と水の流通を確保することができる。この濾過材６は、水中に浮遊したゴミなどを除去する汚濁物質補足能力をも有している。
【００２５】
１３は長尺な支柱で、上部に耕水機１５を取付けて養殖池の中央に設置するもので、該支柱の下部を、十宇状又は三方状に形成して中央部分を高く持ち上げ、底部５との間に間隔を有した支持脚片１４の中央上面に固定し、支持脚片１４の中央部を持ち上げて形成したことにより、支柱１３の下端で取出口８を閉鎖することがない。
【００２６】
１０は、養殖池中心のデッドスペースに設置した略円筒状のタワー槽で、上下面に夫々多数の小孔を有した孔あき蓋板１０ａと孔あき底板１０ｂを有しており、タワー層の内外に池の水が流出入することができる構成をしており、さらにまた、該タワー槽の内側底部には環状、Ｕ字状、渦巻き状など任意形状に形成したパイプの表面に多数の小孔を有した第１エアー噴出器２３を設置してある（図３は環状に形成したものであるが、この形に限るものではない。）。このエアー噴出器２３は、第１のパイプ２４を介してコンプレッサー、ブロワーなどのエアー源２６に接続してある。
【００２７】
タワー槽１０内にはエアー噴出器から噴出するエアーバブルにより自由に流動するバイオフィルタ１１を多数収容してある。このバイオフィルタ１１は、軽量な発泡プラスチックなどの軽量素材を用いて小型で任意形状に形成した流動担体濾材１１ａの表面に多数の突起を設けて比表面積を大きくしたもので、表面に多数の水中微生物が付着して形成した生活膜をなす生物を利用して水の汚れを浄化する。流動担体濾材１１ａはエアーバブルによりタワー槽１２内を自由に流動するため、残餌や糞などが詰まっても作動中は常に流動しているので、一時的なゴミ詰まりなどは流動しながら自動的に解消するため、メンテナンスが不要であるという利点がある。
【００２８】
また、前記タワー槽の周囲の池の底部に、環状に形成したパイプの表面に多数の小孔を有してエアーバブルを発生する第２エアー噴出器３２を設置し、該エアー噴出器は第２のパイプ３１を介してエアー源２６に接続している。
【００２９】
３５は、内部に生物濾過材３７を収容した補助濾過槽で、該補助濾過槽の下部に水とヘドロの比重差を利用してヘドロを水から分離させる分離室４０を設けてあり、該分離室に連結した排水管４１を汚泥処理装置４２に連結してある。
【００３０】
生物濾過材３７は、表面に多数の小孔を設けたガラス発泡濾過材から成り、各部材表面にはそれぞれ水中微生物を付着して形成した生活膜をなす生物である微生物、特に、好気性微生物に酸素を供給して高度生物処理を行うことにより該好気性菌を増殖して活性化することにより水を浄化する。
【００３１】
養殖池内に設置したストレーナ９と分離室４０とを連結管３９で連結してあり、自然落差を利用してストレーナ９から分離室４０に自動的に移送される。この分離室内のヘドロが一定量に達すると、分離室内に設けたセンサー４１ｂが感知して排水管４１に設けたバルブ４１ａを開いて汚泥処理装置４２に移送し、汚泥処理装置４２に設けてある圧縮機、乾燥機などにより汚水からヘドロを回収して除去し、繰り返し圧縮を行った後に乾燥させてクレソンなどの植物の肥料に加工する。
【００３２】
補助濾過槽３５内の上方に設置した有底筒４５は、その上端を上面板３６ａよりやや上方に位置して取付け、さらに、前記養殖池の水面より上方に一端を位置させて略水平に配した送水パイプ４６の他端を下方に折曲げてなる縦パイプ４６ａの下端は、前記有底筒内の略中間部に位置している。また、前記エアー源２６に連なる第1のパイプ２４の第２分岐部２４ｃに第２のバルブ２５ａを介して連結した送気パイプ２５の下端は、前記縦パイプ４６ａ内の中間部又は下端近辺に位置させてなるエアリフト４８により、前記補助濾過槽３５の上部に溜まった処理水１ｂは養殖池１に戻される。
【００３３】
次に、本実施形態の作用について説明すると、多数の魚類を収容した養殖池１の水面に設置した耕水機１８とエアー源２６を外部電力に接続して耕水機の回転アーム１６を回転させ、エアー源２６からのエアーを、パイプ２４，３１を介して養殖池の中心に設けたタワー槽１０の内外に設置した第１，２エアー噴出器２３，３２から夫々水中にエアーバブルを噴出させるものである。
【００３４】
第１エアー噴出器２３からタワー槽１０内にエアーバブルを噴出してエアーレーションを行う。このタワー槽内に移動可能に収容されたバイオフィルタ１１を構成する多数の流動担体濾材１１ａに噴出したエアーバブルによって生じた水流により、流動担体濾材を自由に流動させ、該流動担体濾材の表面に付着して形成した生活膜にエアーバブルに含まれる酸素を供給する。エアーバブルから酸素を供給すると、好気性微生物が増殖して活性化する。
【００３５】
タワー槽１０内に移動可能に収容した多数の流動担体濾材１１ａの表面に多数の突起を設けて比表面積は拡大し、該表面に微生物が付着した生活膜を有するバイオフィルタ１１は、前記濾過材６のように一定位置で作用させるのではなく、水流によってタワー槽内を自由に流動しながら、バイオフィルタに付着したバクテリア、原生動物などの微生物、特に、好気性微生物に酸素を供給して増殖させて活性化する。
【００３６】
水底近辺に漂う酸素が不足した水は、嫌気性微生物を多く含んでおり、タワー槽１０内に流入して第１エアー噴出器２３から噴出するエアーバブルの酸素が供給されると、流動するバイオフィルタ１１の表面に付着した好気性微生物に酸素が供給されて活性化し、活性化した水はタワー槽外の池中心の水面に流入する。
【００３７】
また、タワー槽１０の外側に設置した第２エアー噴出器３２から噴出したエアーバブルは、底部近辺の魚の汚物、残餌等のヘドロが漂って酸素不足の水に、酸素を供給すると共に、エアーバブルの噴出により対流のほとんどない池中心部分に上向きの水流を発生させ、それによって壁面部の水底近辺に漂っている濾過未処理水を池の中心方向に呼び込む作用が発生する。
【００３８】
耕水機の回転アーム１６は、水面に浮上しながら比較的ゆっくり回転し、水面の水を放射方向に押し出して発生させた波立部２１は、大気中の酸素を水中に取り込むと共に、太陽光中の紫外線によって水中の悪玉菌を滅菌する。この回転アームの回転により池中心の水は遠心方向に押し出される。回転アーム１６により放射方向に押し出された水は、壁面部３の内側に設けた濾過材３に新鮮な水を供給し、該濾過材に付着している好気性微生物に酸素を供給して活性化する。この濾過材６は、炭素繊維のためその高い弾力性は長期間にわたって繊維と繊維との間に空間を保持するため、安定して微生物の付着と水の流れを確保することができる。
【００３９】
さらに、エアー源２６から供給される一方のエアーは、分岐部２４ｂを介して第1パイプ２４を通ってタワー槽１０内の底部に設置した第1エアー噴出器２３から水中にエアーバブルを噴出し、該タワー槽内に収容して表面に微生物を多数付着させた流動担体濾材１１ａからなるバイオフィルタ１１を流動させる。また、エアー源２６から供給される他方のエアーバルブは、第２パイプ３１を通って養殖池の底部に位置した前記タワー槽１０の外側に設置した第２エアー噴出器３２から水中にエアーバブルを噴出して、池の中心に上向きの水流を発生させ、また、底部近辺に漂う酸素不足の水を池中心に呼び込んで酸素を供給し、該水に含まれる好気性微生物を増殖して活性化した水を水面に上昇させる。
【００４０】
養殖池の水面における水の対流により、飼育魚の残餌や糞などの浮遊物は経時的に降下し、底部５の斜面に沿って池の中心底部に移動し、網目壁９ａからストレーナ９内に集められる。ストレーナ９内に集まった浮遊物などのヘドロは連結管３９の自然落差を利用して自動で分離室４０内に移動する。時間の経過により分離室内には、水から分離したヘドロが溜まるとセンサー４０ａが感知し、排水管４１に設けたバルブ４１ａを開弁してヘドロを含む水を汚泥処理装置４２に送る。該汚泥処理装置４２は、水中に含まれるゴミを取り除くフィルタ手段とヘドロを絞って水分を除去し、さらにヘドロを圧縮手段により圧縮して水分を絞って乾燥させた後、粉状、穎粒状など任意の形状に形成し、クレソン等の植物の肥料に利用する。
【００４１】
この分離室４０内の水は、補助濾過槽３５内に設けてある生物濾過材３７によって高度生物処理されて活性化し、該補助濾過槽の上方に送られた処理水１ｂの水位が有底筒４５の上端を超えると有底筒内に送られる。この有底筒内には、先端を養殖池の上部に位置した送水パイプ４６の他端に連続して設けた縦パイプ４６ａと、エアー源２６に連なる第１パイプ２４に分岐部を介して連なる第２送気パイプ２５とにより構成したエアリフト４８により、エアー源２６から供給されるエアーによって、該有底筒内の縦パイプ４６ａ内の処理水は、送気パイプ２５の先端から噴出するエアーにより有底筒内の処理水を縦パイプ内に上昇させ、送水パイプ４６の先端から養殖池１内に戻すことができる。
【００４２】
回転アーム１６が回転すると、池の表層水はアームに設けた水掻羽根２０によって回転アームの中心から放射方向に弧状に押し出しながら水面部分に波立部２１を形成し、この波立部近辺の水に空気中の酸素を取り込んで溶存酸素（ＤＯ）値を高めると共に、太陽光線によって光合成を促進し、さらに、紫外線により水中に含まれる浮遊物中の雑菌を滅菌する。このように、水中に含まれる微生物の好気性バクテリアに酸素を供給して増殖させることにより活性化し、ヘドロの原因となる残餌や糞などの浮遊物を好気性微生物の作用により減少させ、好気性微生物を増殖して活性化する。
【００４３】
池の底部に漂う酸素が不足した水は、エアー噴出器から噴出するエアーバブルによって池中心を上昇し、その間に酸素の不足した水は、水中でエアーバブルから酸素を取り込み、また、水面で酸素を取り込むと同時に太陽光線により水中のプランクトンの光合成が活性化し、さらに紫外線による殺菌効果が得られる。溶存酸素（ＤＯ）を十分に含んだ水は池底に淀んでいる嫌気的環境の原因となるヘドロの原因となる魚の糞や残餌に接触して嫌気性菌に代わって好気性微生物、即ち、有効微生物を増殖させることにより水質が改善する。このように溶存酸素の豊富な表層水は、酸素が不足する水底に送り込まれて池中の水が循環することにより水質が均一化し、酸素を含んだ水を底部にも供給して好気性菌の活性化によりヘドロの発生を防ぐことができる。このエアー源２６と耕水機の回転アーム１８は一日中作動する。
【００４４】
ヘドロを分離室４０から汚泥処理装置４２に排出するためのバルブを作動するセンサーの代わりに、一定時間毎に作動するようにタイマーを設けて作用させてもよいのはもちろんである。さらに、ポリプロピレンで製造した養殖池の壁面部に、ナノカーボンヒータ５０を装着したことにより、室内でも光合成をしながら遠赤外線を発生させて魚の成長を一段と促進させることができる。その上、従来設備の１０分の一くらいで、養殖密度は３〜５倍位となり、養殖効率が一段と向上する作用を有する。その上、本装置に対するメンテナンスに要する費用を一段と軽減することができるという特徴を有する。
【符号の説明】
【００４５】
１      養殖池
３      壁面部
４      間隙部
５      底部
６      濾過材  
９      ストレーナ
１０      タワー槽
１１      バイオフィルタ
１１ａ    流動担体濾材
１３      支柱
１６      回転アーム
１８      耕水機
２０      水掻羽根
２３      第１エアー噴出器
２４      第１のパイプ
２５      第２送気パイプ
２６      エアー源
３１      第２のパイプ
３２      第２エアー噴出器
３５      補助濾過槽
３７      生物濾過材
３９      連結管
４０      分離室
４１      排水管
４２      汚泥処理装置
４８      エアリフト
【図１】
2012239414.tif 000003
【図２】
2012239414.tif 000004
【図３】
2012239414.tif 000005
【図４】
2012239414.tif 000006
【図５】
2012239414.tif 000007